(57)【要約】【課題】  高圧送電線用の鉄塔を構成する管材先端に形成された開口に簡単に装着することができ、鳥の営巣を防止し得ると共に風音をも防止し得る鳥営巣防止金具を提供すること。【解決手段】  管材先端の開口を閉鎖し得る蓋板と、バネ保持板と、該バネ保持板に固定された一対の線状バネとから構成され、両線状バネは上記バネ保持板にそれらの一方線部が固定されると共に、他方線部が互いに上記バネ保持板から前方に略同一角度で立ち上がるように形成され、上記各他方線部の各先端部を上記蓋板と略平行に各々屈曲し、上記一方線部と他方線部との開き角度は、当該金具を開口内に挿入して上記開口を上記蓋板で閉鎖した状態において、上記各先端部が上記管材の一方内壁に当接することで上記両バネが圧縮される角度に設定し、かつ圧縮された上記各線状バネの弾性復帰力によって上記バネ保持板が上記管材の他方内壁に圧接し得るように構成する。【選択図】  図４
2011099290.tif 000002
【特許請求の範囲】
【請求項１】
送電線鉄塔の管材先端に形成される開口を閉鎖する鳥営巣防止金具であって、
上記開口を閉鎖し得る蓋板と、該蓋板に直交して形成されたバネ保持板と、該バネ保持板に固定され、屈曲部を中心として一方線部と他方線部にく字状に形成された一対の線状バネとから構成され、
上記両線状バネは上記バネ保持板にそれらの一方線部が並設固定されると共に、上記他方線部が互いに上記バネ保持板から前方に略同一角度で立ち上がるように形成され、
上記各他方線部の各先端部を上記蓋板と略平行になるように各々屈曲し、
上記一方線部と他方線部との開き角度は、当該金具を上記開口内に挿入して上記開口を上記蓋板で閉鎖した状態において、上記各先端部が上記管材の一方内壁に当接することで上記両バネが圧縮される角度に設定し、
かつ圧縮された上記各線状バネの弾性復帰力によって上記蓋板又は上記バネ保持板が上記管材の他方内壁に圧接し得るように構成したものであることを特徴とする鳥営巣防止金具。
【請求項２】
上記蓋板に検査用穴を貫通形成し、
上記蓋板の上面に一方端部を回動可能に軸支され、他方端部に蓋部を有する開閉用蓋体を設け、
上記蓋部を以って上記検査用穴を開閉自在としたものであること特徴とする請求項１記載の鳥営巣防止金具。
【請求項３】
上記線状バネは屈曲部にコイルバネ部が形成されており、両線状バネの上記各先端部の高さは略同一であることを特徴とする請求項１又は２記載の鳥営巣防止金具。
【請求項４】
上記開閉用蓋体は弾性を有する金属製板状部材により形成され、該板状部材に屈曲部を設け、上記屈曲部の下面側を上記蓋板の上面に向けて載置し、上記蓋体の板状部材の板面を上記蓋板上面方向に付勢した状態で当該蓋体を軸支したものであることを特徴とする請求項２記載の鳥営巣防止金具。
【請求項５】
上記検査用穴の周囲に外周突縁を設け、上記蓋部の外周には上記外周突縁に嵌合し得る突出部を設け、
上記蓋部で上記検査用穴を閉鎖した状態において、上記外周突縁と上記突出部とが嵌合し得るように構成した請求項２又は４記載の鳥営巣防止金具。
【請求項６】
上記蓋板及びバネ保持板はステンレス板により構成し、上記線状バネはステンレス線材により構成された請求項１〜５の何れかに記載の鳥営巣防止金具。
【請求項７】
上記蓋板は上記管材の開口の形状に沿った略円弧形状であることを特徴とする請求項１〜６の何れかに記載の鳥営巣防止金具。
【請求項８】
上記管材先端の開口にはその開口直径に沿って板状接続部材が固定されており、上記蓋板又は上記バネ保持板が圧接する他方内壁は上記板状接続部材の板面であることを特徴とする請求項１〜７の何れかに記載の鳥営巣防止金具。
【発明の詳細な説明】
【技術分野】
【０００１】
本発明は高圧送電線用の鉄塔に用いられ、鉄塔を構成する管材先端の開口に簡単に装着でき、鳥類の営巣を防止し得ると共に風音をも防止し得る鳥営巣防止金具に関するものである。
【背景技術】
【０００２】
従来、高圧送電線用の鉄塔に用いられる管材（パイプ）において、端部の開口内に鳥が営巣し内部が腐食することから、これを防止するために当該管材の端部開口に金属板を溶接固定し、これにより上記端部開口を閉鎖することが提案されている（特許文献１）。
【０００３】
この特許文献１の管材は、菅材外面のメッキ処理の必要性から、金属板には透孔が設けられているが、この透孔に起因した風切り音が発生するため、これを防止するため、上記金属板の上からさらに風音防止金具を装着するものであった（特許文献１）。
【０００４】
また、管材の端部の開口を弾性材料からなる密閉蓋にて閉鎖し、脱落防止金具で係止するもの（特許文献２）、或いは弾性材料からなる密閉蓋を上記開口に嵌合装着するものが提案されている（特許文献３）。
【先行技術文献】
【特許文献】
【０００５】
【特許文献１】特開平１０−６６２３２
【特許文献２】特開２００４−１４３６７３
【特許文献３】特開平９−１１９２３５
【発明の概要】
【発明が解決しようとする課題】
【０００６】
ところで、上記特許文献１の技術では、管材端部に金属板を溶接固定した上で、さらに風音防止金具を装着する必要があり、管材の製造工程の増加を招くし、金属板の上からさらに風音防止金具を装着するのは非効率的であるとの課題がある。
【０００７】
また、上記従来の風音防止金具は、金属板に存在する小穴を利用して固定する構造であるから、金属板の存在しない開口には取り付けができないという課題がある。また、管材端部に金属板を溶接固定していない鉄塔も多く存在し、従って、鉄塔完成後に金属板の存在しない管材の端部開口を閉鎖する必要性もある。
【０００８】
一方、上記特許文献２，３の密閉蓋は弾性材料により形成されているので、屋外の鉄塔に用いられるものとしては、経年変化による劣化が懸念される。
【０００９】
本発明は、上記従来の課題に鑑みてなされたものであり、高圧送電線用の鉄塔を構成する管材先端に形成された開口に簡単に装着することができ、鳥類の営巣を防止し得ると共に風音をも防止し、さらに、開口を閉鎖した状態において、管材内の点検作業をも容易に行い得る鳥営巣防止金具を提供することを目的とする。
【課題を解決するための手段】
【００１０】
上記の目的を達成するため本発明は、
第１に、送電線鉄塔の管材先端に形成される開口を閉鎖する鳥営巣防止金具であって、上記開口を閉鎖し得る蓋板と、該蓋板に直交して形成されたバネ保持板と、該バネ保持板に固定され、屈曲部を中心として一方線部と他方線部にく字状に形成された一対の線状バネとから構成され、上記両線状バネは上記バネ保持板にそれらの一方線部が並設固定されると共に、上記他方線部が互いに上記バネ保持板から前方に略同一角度で立ち上がるように形成され、上記各他方線部の各先端部を上記蓋板と略平行になるように各々屈曲し、上記一方線部と他方線部との開き角度は、当該金具を上記開口内に挿入して上記開口を上記蓋板で閉鎖した状態において、上記各先端部が上記管材の一方内壁に当接することで上記両バネが圧縮される角度に設定し、かつ圧縮された上記各線状バネの弾性復帰力によって上記蓋板又は上記バネ保持板が上記管材の他方内壁に圧接し得るように構成したものであることを特徴とする鳥営巣防止金具により構成される。
【００１１】
上記線状バネの他方線部の先端部は、線状バネ（７）の他方線部（７ｄ）の先端部の係合線部（７ｅ）により構成することができる。上記他方内壁は、例えば管材（２）の内壁（２ｄ）を構成する管材（２）の端部に固定された接続板としてのＵ字金具（４）の板面（４ｄ）をいう。このように構成すると、鉄塔管材の開口に鳥営巣防止金具を簡単に装着し得ると共に、一対の線状バネの弾性復帰力によって当該金具を開口内にバランス良く強固に固定することができ、これにより、鳥の営巣を防止し得ると共に風音をも防止し得る。
【００１２】
第２に、上記蓋板に検査用穴を貫通形成し、上記蓋板の上面に一方端部を回動可能に軸支され、他方端部に蓋部を有する開閉用蓋体を設け、上記蓋部を以って上記検査用穴を開閉自在としたものであること特徴とする上記第１記載の鳥営巣防止金具により構成される。
【００１３】
このように構成すると、鳥営巣防止金具を装着して管材開口を閉鎖した状態においても、開閉用蓋体を開口することにより、検査用穴から例えばファイバースコープを挿入して管材内部の腐食状況等を確認することができる。
【００１４】
第３に、上記線状バネは屈曲部にコイルバネ部が形成されており、両線状バネの上記各先端部の高さは略同一であることを特徴とする上記第１又は２記載の鳥営巣防止金具により構成される。
【００１５】
このように構成すると、上記一対の線状バネの上記弾性復帰力を効果的にかつ左右バランス良く発生させることができ、管材内において鳥営巣防止金具を安定して固定し得る。
【００１６】
第４に、上記開閉用蓋体は弾性を有する金属製板状部材により形成され、該板状部材に屈曲部を設け、上記屈曲部の下面側を上記蓋板の上面に向けて載置し、上記蓋体の板状部材の板面を上記蓋板上面方向に付勢した状態で当該蓋体を軸支したものであることを特徴とする上記第２記載の鳥営巣防止金具により構成される。
【００１７】
このように構成すると、蓋体の他方端部の蓋部が蓋板上面方向に付勢された状態となるので、蓋部を以って確実に検査用穴の閉鎖状態を維持し得る。
【００１８】
第５に、上記検査用穴の周囲に外周突縁を設け、上記蓋部の外周には上記外周突縁に嵌合し得る突出部を設け、上記蓋部で上記検査用穴を閉鎖した状態において、上記外周突縁と上記突出部とが嵌合し得るように構成した上記第２又は４に記載の鳥営巣防止金具により構成される。
【００１９】
このように構成すると、蓋部の閉鎖時において、検査用穴と蓋部とを嵌合閉鎖することができるので、蓋部を以って確実に検査用穴の閉鎖状態を維持し得る。
【００２０】
第６に、上記蓋板及びバネ保持板はステンレス板により構成し、上記線状バネはステンレス線材により構成された上記第１〜５の何れかに記載の鳥営巣防止金具により構成される。
【００２１】
このように鳥営巣防止金具の全体がステンレス材により構成されているので、錆を防止し得て長期間の屋外での使用に耐え得るものである。
【００２２】
第７に、上記蓋板は上記管材の開口の形状に沿った略円弧形状であることを特徴とする上記第１〜６の何れかに記載の鳥営巣防止金具により構成される。
【００２３】
このように構成すると、円弧形状の管材の端部の開口を確実に閉鎖することができる。
【００２４】
第８に、上記管材先端の開口にはその開口直径に沿って板状接続部材が固定されており、上記蓋板又は上記バネ保持板が圧接する他方内壁は上記板状接続部材の板面であることを特徴とする上記第１〜７の何れかに記載の鳥営巣防止金具により構成される。
【００２５】
上記板状接続部材は、例えばＵ字金具（４，４’）により構成することができる。このように構成すると、上記板状接続部材によって形成された管材先端の円弧状の開口を鳥営巣防止金具にて確実に閉鎖することができる。
【発明の効果】
【００２６】
本発明は上述のように構成したので、管材の開口に鳥営巣防止金具を簡単に装着し得ると共に、一対の線状バネの弾性復帰力によって当該金具を開口内にバランス良く強固に固定することができ、これにより、鳥の営巣を防止し得ると共に風音をも防止し得る。
【００２７】
また、鳥営巣防止金具の管材への装着は、既に鉄塔を構築した状態の管材においても行うことができる。
【００２８】
また、金具を一対の線状バネを管材の内壁に弾性的に当接させることにより固定するものであるため、各種形状の管材の開口に対応できる汎用性の高い鳥営巣防止金具を実現したものである。
【００２９】
また、鳥営巣防止金具を装着して管材開口を閉鎖した状態においても、開閉用蓋体を開口することにより、検査用穴から例えばファイバースコープを挿入して管材内部の腐食状況等を確認することができるし、検査時以外は上記開閉用蓋体により上記検査用穴を完全に閉鎖し得て鳥営巣及び風音を防止し得る。
【００３０】
また、開閉用蓋体の他方端部の蓋部が蓋板の上面方向に付勢された状態となるので、蓋部を以って確実に検査用穴の閉鎖状態を維持し得る。
【００３１】
また、上記一対の線状バネの上記弾性復帰力を効果的にかつ左右バランス良く発生させることができ、簡単に装着できると共に、管材内において鳥営巣防止金具を安定して固定し得る。
【図面の簡単な説明】
【００３２】
【図１】本発明に係る鳥営巣防止金具と管材端部の斜視図である。
【図２】同上金具の斜視図である。
【図３】（ａ）は同上金具の平面図、（ｂ）は同上金具の正面図、（ｃ）は同上金具の側面図である。
【図４】（ａ）は同上金具を管材に装着する状態を示す金具及び管材の断面図、（ｂ）は同上金具を管材に装着した状態を示す金具及び管材の断面図である。
【図５】同上金具を管材に装着した状態の平面図である。
【図６】（ａ）は第２の実施形態の鳥営巣防止金具を管材に装着した状態を示す金具及び管材の平面図、（ｂ）は（ａ）の縦断面図である。
【図７】（ａ）は第２の実施形態における同上金具の開閉用蓋体近傍の拡大平面図、（ｂ）は同上蓋体の縦断面図である。
【図８】（ａ）は同上蓋体の平面図、（ｂ）は同上蓋体の側面図である。
【図９】同上第２の実施形態における同上金具の検査用穴の一部断面斜視図である。
【図１０】第３の実施形態の鳥営巣防止金具と管材端部の斜視図である。
【図１１】第３の実施形態の同上管材端部の平面図である。
【図１２】（ａ）は第３の実施形態の同上金具の平面図、（ｂ）は同上金具の側面図である。
【図１３】（ａ）は高圧送電線の鉄塔の正面図、（ｂ）は（ａ）におけるＱ部の拡大図である。
【図１４】同上金具を管材端部の開口に装着する状態を示す管材及び同上金具の側面図である。
【発明を実施するための形態】
【００３３】
以下、添付図面に従って、本発明に係る鳥営巣防止金具の実施形態を詳細に説明する。
【００３４】
図１は本発明の第１の実施形態に係る鳥営巣防止金具１と、該金具１を取り付ける管材２の端部の斜視図であり、上記金具１は、上記管材２の先端の円弧形の開口２ａに装着され、その蓋板３により上記開口２ａを閉鎖するものである（図４（ｂ）、図５参照）。
【００３５】
上記管材２は図１３（ａ）（ｂ）に示すように、高圧送電線の鉄塔３０の構築に用いられるものであり、鋼製の長尺の円筒管により構成され、両先端の円形開口部対向位置にＵ字溝２ｂ，２ｂを切欠き、これらＵ字溝２ｂ，２ｂ内に、上記開口２ａをその開口直径に沿って該開口を二分するようにＵ字金具（板状接続部材）４を装着して、Ｕ字溝２ｂ，２ｂと上記金具の板面４ｂを溶接Ｐすることにより、当該Ｕ字金具４が上記管材２の両端に固定されている。このＵ字金具４の対向板には各々ボルト挿入用の透孔４ａが貫通形成されており、当該Ｕ字金具４に鉄塔３０の支柱３１における取付板２０を挿入し、ボルト及びナット２１で当該管材２を上記取付板２０に固定することにより（図１４参照）、当該管材２を上記取付板２０に接続し、上記鉄塔３０を構築するものである。
【００３６】
このように上記管材２の先端には円弧形状の開口２ａが形成されており、本発明の鳥営巣防止金具１は上記開口２ａを閉鎖するものである。この開口２ａの形状は、より具体的には、円形の管材２の先端の開口が、その円形開口の直径に沿う上記Ｕ字金具４にて２分割された形状となっており、上記Ｕ字金具４の板面４ｄが円弧の「弦」を形成し、開き角度が１８０度の円弧形状となっている（図５参照）。
【００３７】
尚、図１におけるバネ保持板５から線状バネ７の他方線部７ｄ，７ｄ、係合線部（先端部）７ｅ，７ｅの向かう方向を「前方」、反対方向を「後方」、上記前方からバネ保持板５を見た場合の左右を「左右方向」、上記前方からバネ保持板５を見た場合の上下を「上下方向」と定義付けて以下の説明を行う（図１参照）。
【００３８】
この営巣防止金具１の本体部分は、開き角度が１８０度の略円弧形（略半円形状）であって貫通穴の何ら形成されていない蓋板３と、該蓋板３と直交するバネ保持板５とから構成されており、この蓋板３とバネ保持板５はステンレス板（例えばＳＵＳ３０４）を一体的に成形加工することにより形成し、その後、蓋板３の後方の直線縁３ａに沿ってバネ保持板５を上記蓋板３に対して直角に折曲加工することにより形成される。
【００３９】
上記蓋板３は、当該金具１を上記管材２の開口２ａに装着し、上記直線縁３ａ及び／又はバネ保持板５が、管材２の内壁２ｄとしての上記Ｕ字金具４の板面４ｂに接触した状態において、上記開口２ａをその上側から完全に閉鎖し得るように、その円弧縁３ｂがその全体（円弧の全周）に亙り、上記開口２ａの開口縁２ａ’より若干外側に位置するように構成されている（図４（ｂ）、図５参照）。
【００４０】
また上記蓋板３の上記円弧縁３ｂの両端部には上記円弧縁３ｂから上記直線縁３ａの内側方向に直線的な切欠部３ｃ，３ｃが各々形成されている。この切欠部３ｃ，３ｃは上記金具１を上記開口２ａに装着したとき、上記Ｕ字金具４とＵ字溝２ｂとの溶接部Ｐを避けるために設けられたものである（図５参照）。
【００４１】
上記バネ保持板５は、その上下方向の両側縁５ａ，５ａに、一定幅で水平方向（左右方向）に平行スリットを切り込み、内側に円弧状に折り曲げ加工することにより、バネ保持用の円弧状係合部６ａ，６ｂを上下に一対に形成し、かかる円弧状係合部６ａ，６ｂを上記左右の側縁５ａ，５ａに、各々同一水準高さにて形成している。これらの左右の円弧状係合部６ａ，６ｂに各々上記線状バネ７，７の一方線部７ａ，７ａが係合固定されるものである。
【００４２】
また、上記バネ保持板５の内側の上記折曲部近傍の中央上部には、一対の縦スリットを切り込み、該縦スリット間の板を前方に引き起こすことにより、バネ７の支持線部７ｂの係合部６ｃが形成されている。
【００４３】
７は係合用の線状バネであり、一対のバネを使用するが略同一形状であるので、バネの基本的構成については、一方の線状バネ７を用いて説明する。
【００４４】
この線状バネ７は、１本のステンレス製（例えばＳＵＳ３０４）の線材を折曲加工することにより形成されたものであり、中央の屈曲部７ｃ（コイルバネ部７ｃ）を中心として「く字状」に折曲形成された一方線部７ａと他方線部７ｄとにより形成されている。また、このバネ７の上記一方線部７ａの上端から横方向には直角に折り曲げられた支持線部７ｂが形成されている。さらに、上記他方線部７ｄの先端には、前方に水平方向に、上記蓋板３の角度と略平行となるように屈曲形成された係合線部（先端部）７ｅが形成されている。
【００４５】
この係合線部７ｅは図３に示すように、上記一方線部７ａを鉛直方向とした場合、鉛直線Ｌに対して直角となるように形成されており（図３（ｃ）参照）、これにより上記管材２内に装着したとき、上記係合線部７ｅの先端７ｅ’が上記管材２の内壁２ｃに弾性的に強く当接するように構成されている（図４（ｂ）参照）。
【００４６】
そして、上記一方線部７ａと他方線部７ｄとの開き角度θ１は（図４（ａ）参照）、当該金具１を上記開口２ａ内に挿入して上記開口２ａを上記蓋板３で閉鎖した状態において、上記各係合線部７ｅ，７ｅが上記管材２の一方内壁２ｃに当接することで上記両バネ７，７が圧縮されるような角度に設定し（図４（ｂ）参照）、かつ圧縮された上記各線状バネ７，７の弾性復帰力によって上記蓋板３又は上記バネ保持板５が上記管材２の他方内壁２ｄ（Ｕ字金具４の板面４ｂ）に圧接し得るように構成されている。
【００４７】
即ち、上記バネ７の上記バネ保持板５に固定された一方線部７ａから係合線部７ｅ先端７ｅ’までの長さＴ１は（図３参照）、この営巣防止金具１が装着される管材２の内部における上記係合線部７ｅ先端７ｅ’が各々当接する部分（内壁２ｃと内壁２ｄ（板面４ｄ）の間）の前後開口幅Ｔ２（図５参照）よりも長くなるように構成されている。従って、上記金具１を上記開口２ａ内に装着したとき、上記係合線部７ｅを介して他方線部７ｄが矢印Ａ方向に圧縮され（図４（ａ））、上記バネの矢印Ｂ方向の弾性復帰力が上記管材２内壁２ｃ，２ｄ（Ｕ字金具４の板面４ｂ）に強く作用して、当該営巣防止金具１を管材２内において強固に固定保持し得るように構成している。
【００４８】
このように、上記バネ７の上記係合線部７ｄは上記コイルバネ部７ｃの作用により、矢印Ａ方向に折り曲げる力（圧縮力）が加わった場合、矢印Ｂ方向に弾性復帰する力が作用するように構成されている。
【００４９】
この線状バネ７は、図３（ｂ）に示すように、上記支持線部７ｂが一方線部７ａに対して右側に折曲された左用バネ７Ｌと、上記支持線部７ｂが一方線部７ａに対して左側に折曲された右用バネ７Ｒから構成されているが、上記係合部６ｃに各一方線部７ａ，７ａを上下に位置をずらした状態で固定されており、かかる状態で両バネ７Ｌ，７Ｒの上記コイルバネ部７ｃの下端位置及び上記係合線部７ｅの左右の位置（高さ）は略同一高さ（同一水準位置）となるように構成している。このように構成すると、装着時の左右の上記係合線部７ｅ，７ｅに作用する弾性力のバランスが左右均衡し、従って、バネの弾性復帰力のバランスが左右均衡し、営巣防止金具１の安定した装着状態を実現し得る。従って、上記両バネ７の一方線部７ａの長さは、上記ずれの長さである上記支持線部７ｂにおけるバネ７の直径に相当する分だけ、左用バネ７Ｌの一方線部７ａの長さが、右用バネ７Ｒの一方線部７ａの長さより短くなるように形成している。
【００５０】
これらの左右の線状バネ７を上記金具１に装着するには、上記各バネ７，７の支持線部７ｂ，７ｂを上記金具１のバネ支持板５の上記係合部６ｃに左右位置から各々挿入し（本実施形態の場合は右側のバネ７Ｒの支持線部７ｂが上、左側のバネ７Ｌの支持線部７ｂが下）、さらに各バネ７の一方線部７ａ，７ａを各々上記バネ支持板５の円弧状係合部６ａ，６ｂに係合させ、上記他方線部７ｄ及び係合線部７ｅを前方に互いに平行に延出させた状態で、上記円弧状係合部６ａ，６ｂを上記各一方線部７ａを巻き込むように円柱状に折曲することで、上記一方線部７ａ，７ａを上記上下の円弧状係合部６ａ，６ｂで強固に固定する。
【００５１】
このように、上記両線状バネ７，７は上記バネ保持板５にそれらの一方線部７ａ，７ａが並設固定されると共に、上記他方線部７ｂ，７ｂが互いに上記バネ保持板５から前方に略同一角度で立ち上がるように形成されている（図２参照）。
【００５２】
このように構成することで、図２、図３に示すように、鉛直線に沿ったバネ支持板５と、該バネ支持板５に直交する方向に前方側に折曲形成された蓋板３と、上記バネ支持板５に支持され、他方線部７ｄと係合線部７ｅが前方に突出した状態の一対の線状バネ７とからなる鳥営巣防止金具１を形成することができる。
【００５３】
この鳥営巣防止金具１を管材２の端部の開口２ａに装着するには、図４に示すように、上記バネ保持板５の後面側を上記Ｕ字金具４の板面４ｂ（内壁２ｄ）に向けた状態（図１、図４（ａ）の状態）で、かつ上記係合用バネ７，７の係合線部７ｅ，７ｅを前方に向けた状態で、バネ７，７のコイルバネ部７ｃ，７ｃ側から当該金具１のバネ７，７及びバネ保持板５を管材２の開口２ａ内に挿入して行き、上記バネ７，７の各係合線部７ｅ，７ｅの先端７ｅ’，７ｅ’を各々管材２の内壁２ｃに当接させた状態で下方に挿入して行く。そして、上記蓋板３の円弧縁３ｂ近傍の下面が上記開口部２ａの開口縁２ａ’に当接するまで、当該金具１を上記開口２ａ内に挿入すれば良い。該営巣防止金具１を上記管材２に装着した状態を図４（ｂ）、図５に示す。
【００５４】
かかる状態においては、上記バネ係合部５の後面は上記Ｕ字金具４の板面４ｂ（内壁２ｄ）に接触し、かつ上記蓋板３の円弧縁３ｂの下面が上記開口２ａの開口縁２ａ’に接触し、かつ円弧縁３ｂは上記開口２ａの開口縁２ａ’より若干外側に突出した状態となり、これにより蓋板３によって上記管材２の開口２ａが略完全に閉鎖された状態となる。尚、図５に示すように、溶接部Ｐと切欠部３ｃとの間には僅かな間隙が生ずるが、鳥営巣防止、風音防止機能には何ら影響ない。
【００５５】
このように、上記営巣防止金具１を上記管材２内に装着した状態においては、上記一対のバネ７の係合線部７ｅ，７ｅが各々上記管材２の内壁２ｃに強く当接し、両バネ７，７は矢印Ａ方向の圧縮力を均等に受けるので、上記他方線部７ｄ，７ｄ及び係合線部７ｅ，７ｅは、コイルバネ部７ｃ，７ｃ及び上記一方及び他方線部７ａ，７ｄの作用により矢印Ｂ方向の弾性復帰力を均等に生じ、これにより上記係合線部７ｅ，７ｅの先端７ｅ’，７ｅ’が上記管材２の内壁２ｃに強く当接し、かつ上記バネ保持板５の後面側及び／又は直線縁３ａが上記Ｕ字金具４の板面４ｂ（管材２の内壁２ｄ）に強く当接した状態となる。これにより営巣防止金具１は管材２内においてバランス良く、確実に固定される。
【００５６】
また、上記両バネ７，７の係合線部７ｅ，７ｅは、バネ保持板５に平行な直線Ｌに対して直交する方向、即ち、上記蓋板３に平行な方向に設けられており、よって装着時において、上記管材２内壁２ｃに対しても直交する方向にて装着されていくことになるため、上記管材２内に装着すると、管材２の内壁２ｃに直交する直線Ｍに対して開口２ａ方向に角度θ２で傾斜した状態となる（図４（ｂ）参照）。これにより、上記係合線部７ｅ，７ｅは、その上記開口２ａ方向の傾斜角度によって、営巣防止金具１の抜脱方向への極めて強い抵抗となり、当該営巣防止金具１は上記管材２内において強固に固定される。
【００５７】
このように本発明に係る営巣防止金具１を管材２の開口２ａに装着すると、管材２の開口２ａを略完全に閉鎖することができ、これにより当該管材２の開口２ａ内における鳥の営巣を効果的に防止することができる。
【００５８】
また、管材２の両端に存在する開口２ａを略完全に閉鎖することができるため、管材２内に風が進入することによる風切音を防止することができ、風音の発生をも防止することができる。
【００５９】
さらに、一対の線状バネ７，７にて管材２の開口２ａ内に弾性的に固定する構造であるため、管材２の開口２ａへの装着をワンタッチにて簡単に行うことができるし、一旦装着すると、線状バネ７，７の作用により強固に管材２内に固定することができる。
【００６０】
また、一対の係合用バネ７，７を使用したので、営巣防止金具１を管材２内においてバランス良く固定することができる。
【００６１】
さらに、本発明に係る営巣防止金具１は、管材２を鉄塔３０の支柱３１の取付板２０に装着する前において、管材２の開口２ａに装着することができるのは勿論、管材２を鉄塔３０の取付板２０にボルト及びナット２１にて固定した後においても、装着することができるため（図１４参照）、既存の鉄塔３０の鳥の営巣防止対策及び風音防止対策として、極めて有効なものである。
【００６２】
図６、図７は本発明に係る営巣防止金具１の第２の実施形態を示すものであり、当該金具１の蓋板３に検査用穴２２を貫通形成し、当該穴２２を閉鎖する開閉自在の開閉用蓋体２３を設けたものである。尚、かかる第２の実施形態において、第１の実施形態と同一部分、対応部分については同一符号を付している。
【００６３】
同図において、上記検査用穴２２は上記営巣防止金具１の上記蓋板３の略中央部後方寄りの位置に板面を貫通して形成されている。この検査用穴２２は、管材２の内部の腐食の有無、或いは腐食の程度を検査するためのファイバースコープを挿入するための穴であり、直径は例えば約１０ｍｍ〜１５ｍｍである。
【００６４】
上記検査用孔２２は、その周縁に全周に亘り蓋板３の上面側に突出する外周突縁２２ａが設けられており（図７（ｂ）、図９参照）、上記突縁２２ａの外周に、上記蓋体２３の円形の蓋部２３ａの周縁の突出部２３ａ’が嵌合し得るように構成されている。
【００６５】
上記開閉用蓋体２３は、図７，８に示すように、全体がステンレス製（例えばＳＵＳ３０４）の金属製板状部材により形成されており、上記蓋板３の上面３’において、上記板状部材の一方端部におけるカシメ部２３ｄを回動可能に軸支され、他方端部に上記円形の蓋部２３ａを有し、当該円形の蓋部２３ａを以って上記検査用穴２２を開閉自在とするものである。
【００６６】
即ち、上記開閉用蓋体２３は、上記検査用穴２２を閉鎖する円形の蓋部２３ａと、該蓋部２３ａから半径方向に水平に伸びる弾性板部２３ｂと、弾性板部２３ｂの端部に形成され、下方向きに屈曲された屈曲部（下向屈曲部）２３ｃとから構成されており（図８参照）、上記弾性板部２３ｂにおける上記屈曲部２３ｃ近傍位置に回動支点となるカシメ部２３ｄが形成されている。この蓋体２３はその全体が板バネとしても使用し得るステンレス板（例えばＳＵＳ３０４）により構成されており、上記弾性板部２３ｂを上下方向に屈曲すると強い弾性復帰力を有するものである。
【００６７】
そして、上記蓋体２３は上記カシメ部２３ｄを以って上記営巣防止金具１の上記蓋板３の上面３’の中央右側寄りの位置に回転自在にカシメられる。具体的には、上記カシメ部２３ｄが、上記蓋体３に形成された透孔３”に中心軸を構成するカシメ部材（ハトメ或いはリベット）２４によって蓋体２３の透孔２３ｄ’を介してカシメられ、これにより、当該カシメ部材２４を中心として矢印Ｃ，Ｄ方向に回動自在に取り付けられる（図７（ａ）（ｂ）参照）。上記蓋体２３は、該蓋体２３を上記蓋板３上にカシメて取り付けたとき、その蓋部２３ａが上記検査用穴２２を嵌合閉鎖し得る位置となるように構成されている（図７（ｂ））。
【００６８】
また、上記蓋体２３は、上記屈曲部２３ｃの存在により上記蓋板３の上面３’に載置すると、図７（ｂ）の二点鎖線で示すように、上記屈曲部２３ｃから弾性板部２３ｂが板面より若干浮き上がる状態となるが、上記カシメを行うと、上記カシメ部材２４によって上記屈曲部２３ｃ及び上記弾性板部２３ｂが上記蓋板３の上面３’の板面に押し付けられ、上記弾性板部２３ｂ自体は上記屈曲部２３ｃ近傍より蓋板３の上面方向（矢印Ｅ方向）に屈曲しようとするため、これにより、上記蓋部２３ａが矢印Ｅ方向の付勢力を以って上記検査用穴２２を確実に閉鎖し得るように構成している。
【００６９】
即ち、上記開閉用蓋体２３はステンレス板等の弾性を有する金属製板状部材により形成され、該板状部材に屈曲部２３ｃを設け、上記屈曲部２３ｃの下面２３ｃ’側（図８（ｂ）参照）を上記蓋板３の上面３’に向けて載置し、上記開閉用蓋体２３の板状部材の板面を上記蓋板３上面３’方向に付勢した状態で当該開閉用蓋体２３を軸支したものである。
【００７０】
上記蓋部２３ａは上記弾性板部２３ｂに一体的に形成されており、その下側の外周部には下向きに屈曲した突出部２３ａ’が形成されている。この突出部２３ａ’の内径は上記検査用穴２２の外周突縁２２ａの外径と略一致するように構成されており、従って、上記蓋部２３ａに作用する矢印Ｅ方向の付勢力により、上記蓋部２３ａが上記検査用穴２２上部に位置すると、上記外周突縁２２ａ上に上記突出部２３ａ’が弾性的に嵌合し、上記蓋部２３ａにて上記検査用穴２２を確実に閉鎖し得るように構成されている（図７（ｂ））。
【００７１】
このように、上記開閉用蓋体２３は検査用穴２２の閉鎖時は、上記矢印Ｅ方向の付勢力によりその蓋部２３ａと上記検査用穴２２とが確実に嵌合し、上記蓋部２３ａを上記検査用穴２２の位置に固定することができる。
【００７２】
また、ファイバースコープにて管材２の内部を検査する場合は、上記蓋体２３を上記カシメ部２３ｄを中心として矢印Ｃ方向に回転して、上記検査用穴２２を開口すれば良い（図７（ａ）二点鎖線参照）。その後、検査用穴２２にファイバースコープを挿入して内部の腐食状況等を検査することができる。検査終了後は、上記蓋体２３を矢印Ｄ方向に回動復帰させて上記蓋部２３ａにて上記検査用穴２２を再閉鎖すればよい。
【００７３】
このように上記第２の実施形態によると、本発明に係る営巣防止金具１により管材２の開口２ａを閉鎖し得て、鳥の営巣を防止し、かつ、風音をも防止し得ると共に、当該営巣防止金具１を装着した状態のまま管材２内の腐食確認等のメンテナンスをも行うことができるものである。尚、上記管材２端部には開口２ａが２箇所あるので、何れか一方の開口２ａに装着する鳥営巣防止金具１のみを蓋体２３付のものとしても良いし、両方の鳥営巣防止金具１を蓋体２３付のものとしても良い。
【００７４】
図１０に示すものは、本発明の第３の実施形態における営巣防止金具１及びその金具１が装着される管材２を示すものであり、上記管材２の端部に十字状のＵ字金具４’が溶接固定されたものである。尚、かかる第３の実施形態においても、上記第１の実施形態と同一部分又は対応部分については同一符号を付し、相違部分を中心に説明する。
【００７５】
この管材２では、開口２ａは上記図１に示す開き角度が１８０度の円弧形ではなく開き角度θ３が４５度の円弧形状（略１／４円形状）となるので（図１１参照）、営巣防止金具１も上記開口２ａに合わせて開き角度θ３が４５度となる略円弧形状（略１／４円形状）の蓋板３を有するものとなる（図１２（ａ）参照）。
【００７６】
この蓋板３は、円弧縁３ｂの両側に切欠部３ｃ，３ｃが形成され、該切欠部３ｃ，３ｃの後方側に互いに４５度の開き角度を有する直線縁３ａ，３ａが形成された扇形の形状を有している。
【００７７】
従って、当該鳥営巣防止金具１を上記開口２ａに装着すると、図１１二点鎖線に示すように、その線状バネ７，７の係合線部７ｅ，７ｅが管材の内壁２ｃに当接することにより、同様にバネ７，７が圧縮され、これにより上記蓋板３（蓋体３の後方の直線縁３ａ，３ａ）が管材２の内壁２ｄとしての上記Ｕ字金具４’の板面４ｂ，４ｂに当接することで、当該管材２開口２ａに強固に固定されるように構成されている。
【００７８】
このように、かかる第３の実施形態においては、管材２の端部には４箇所の開口２ａが形成されているので４箇所の開口２ａ内に４個の鳥営巣防止金具１を各々装着すれば良い。
【００７９】
これにより、４箇所の開口を有する上記管材２においてもその開口を閉鎖して、鳥の営巣を防止し得ると共に、風音をも防止することができる。
【００８０】
また、この第３の実施形態の営巣防止金具の蓋板３においても、第２の実施形態の検査用穴２２及び上記開閉用蓋体２３を設け、管材２内部を検査し得るように構成することができるのは勿論である。この場合、４箇所の開口２ａに装着する４つの鳥営巣防止金具１の何れか１個又は２個以上の上記金具１を開閉用蓋体２３を有するものとすれば良い。
【００８１】
本発明は上述のように、管材２の先端に形成される開口２ａに鳥営巣防止金具１を簡単に装着し得ると共に、一対の線状バネ７，７の弾性復帰力によって当該金具１を開口２ａ内にバランス良く強固に固定することができ、これにより、鳥の営巣を防止し得ると共に風音をも防止し得る鳥営巣防止金具１を実現したものである。尚、鳥営巣防止金具１の管材２への装着は、既に鉄塔３０を構築した状態の管材２においても行うことができる。
【００８２】
また、金具１を一対の線状バネ７，７を管材の内壁に弾性的に当接させることにより固定するものであるため、各種形状の管材の開口に対応できる汎用性の高い鳥営巣防止金具１を実現し得る。
【００８３】
また、鳥営巣防止金具１を装着して管材２開口２ａを閉鎖した状態においても、開閉用蓋体２３を開口することにより、検査用穴２２から例えばファイバースコープを挿入して管材２内部の腐食状況等を確認することができるし、検査時以外は上記蓋体２３により上記検査用穴２２を完全に閉鎖し得て鳥営巣及び風音を確実に防止し得る。
【００８４】
また、上記一対の線状バネ７，７の上記弾性復帰力を効果的にかつ左右バランス良く発生させることができ、簡単に装着できると共に、管材２内において鳥営巣防止金具１を安定して固定し得る。
【００８５】
また、開閉用蓋体２３の他方端部の蓋部２３ａが蓋板３の上面３’方向に付勢された状態となるので、蓋部２３ａを以って確実に検査用穴２２の閉鎖状態を維持し得る。
【００８６】
また、蓋部２３ａの閉鎖時において、検査用穴２２と蓋部２３ａとが嵌合状態となるので、蓋部２３ａを持って確実に検査用穴２２の閉鎖状態を維持し得る。
【００８７】
また、鳥営巣防止金具１の全体がステンレス材により構成されているので、錆を防止し得て長期間の屋外での使用に耐え得るものである。
【００８８】
また、円弧形状の管材２の端部の開口２ａの形状にあった蓋板３により上記開口２ａを確実に閉鎖することができる。
【００８９】
尚、高圧送電線用の鉄塔の構築用の管材２は各種の直径のものが存在し、また、端部に用いられるＵ字金具４の形状（直線又は十字）、Ｕ字金具４，４’の対向板の対向間隔も各種の大きさのものが存在し、これらの寸法によって管材２の開口２ａの大きさ、形状も相違する。よって、本発明に係る鳥営巣防止金具１は、上記管材２の直径、Ｕ字金具４，４’の形状、対向板の幅等に応じて、蓋板３、線状バネ７等の形状、寸法を決定して形成すれば良い。
【００９０】
また、上記鳥営巣金具１の蓋板の形状は、上記実施形態の形状に限らず、半円形、円形等の形状その他の形状等、管材の端部の開口を閉鎖し得る形状であれば良い。
【産業上の利用可能性】
【００９１】
本発明の鳥営巣防止金具は、高圧送電線の鉄塔に用いられる管材の径等に合わせて、各種の大きさ、形状の金具を形成することができ、鉄塔の営巣防止、風音防止金具として広く用いることができる。また、高圧送電線鉄塔に限らず、管材を用いた高層又は低層建造物等にも同様に適用することができることは勿論である。
【符号の説明】
【００９２】
１            鳥営巣防止金具
２            管材
２ａ          開口
２ｃ          内壁
２ｄ          内壁
３            蓋板
４ｄ          板面
５            バネ保持板
７            線状バネ
７ａ          一方線部
７ｂ          他方線部
７ｃ          コイルバネ部（屈曲部）
７ｅ          係合線部（先端部）
２２          検査用穴
２２ａ        外周突縁
２３          開閉用蓋体
２３ａ        蓋部
２３ａ’      突出部
２３ｄ        カシメ部
２３ｃ        屈曲部
２３ｃ’      下面
３１          鉄塔
【図１】
2011099290.tif 000003
【図２】
2011099290.tif 000004
【図３】
2011099290.tif 000005
【図４】
2011099290.tif 000006
【図５】
2011099290.tif 000007
【図６】
2011099290.tif 000008
【図７】
2011099290.tif 000009
【図８】
2011099290.tif 000010
【図９】
2011099290.tif 000011
【図１０】
2011099290.tif 000012
【図１１】
2011099290.tif 000013
【図１２】
2011099290.tif 000014
【図１３】
2011099290.tif 000015
【図１４】
2011099290.tif 000016